(57)【要約】【課題】施行後に軒樋の位置が容易に変化しない軒樋吊具を提供することにある。【解決手段】軒樋５の両側を係止する一対の係止部１２、１３とこれらを連結する水平部１４とを備える吊具本体１１と、軒先の鼻板６の屋外側に取り付けられる固定部２２と前記水平部１４にスライド自在に接合する保持部２４とを備える取付具２１とを有し、前記水平部に長孔１６を設け、前記保持部２４と前記長孔１６とを螺着する軒樋吊具において、前記保持部２４の先端に突起体を設け、前記突起体が対向する前記水平部１４の接合面１５に複数の凸部１７を設け、前記突起体と凸部又は凹部とが係合することにより、前記吊具本体１１が前記取付具２１に対して固定されてなる。【選択図】  図２
2004250895.tif 000002
【特許請求の範囲】
【請求項１】
軒樋の両側を係止する一対の係止部とこれらを連結する水平部とを備える吊具本体と、軒先の鼻板の屋外側に取り付けられる固定部と前記水平部にスライド自在に接合する保持部とを備える取付具とを有し、前記水平部に長孔を設け、前記保持部と前記長孔とを螺着する軒樋吊具において、前記保持部の先端に突起体を設け、前記突起体が対向する前記水平部の接合面に複数の凸部又は凹部を設け、前記突起体と凸部又は凹部とが係合することにより、前記吊具本体が前記取付具に対して固定されてなることを特徴とする軒樋吊具。
【請求項２】
前記接合面と対向する前記保持部の対向面が前記接合面の凸部又は凹部の頭部先端と接触するものであることを特徴とする請求項１記載の軒樋吊具。
【請求項３】
前記突起体及び前記接合面の凸部又は凹部の断面形状が略三角形であることを特徴とする請求項１又は請求項２記載の軒樋吊具。
【請求項４】
前記接合面の凸部又は凹部が等間隔で配設されていることを特徴とする請求項１乃至請求項３記載の軒樋吊具。
【請求項５】
前記接合面の凸部又は凹部が目盛状に設けられていることを特徴とする請求項４記載の軒樋吊具。
【請求項６】
前記接合面の凸部又は凹部の少なくとも一部は、前記接合面の側面に到達してなることを特徴とする請求項４又は請求項５記載の軒樋吊具。
【請求項７】
前記吊具本体が樹脂製であることを特徴とする請求項１乃至請求項６記載の軒樋吊具。
【発明の詳細な説明】
【０００１】
【発明の属する技術分野】
本発明は、家屋の軒先の鼻板等に軒樋を取り付けるための軒樋吊具に関するものである。
【０００２】
【従来の技術】
軒樋を軒下の鼻板の屋外側に取り付けるための通常の軒樋吊具は、図６に示すように、軒樋５を係止する吊具本体１１と、鼻板６に取り付けられる取付具２１とからなっている。この軒樋吊具には、吊具本体と取付具とが一体成形されていて軒樋の位置調整ができない固定式のものと、吊具本体が取付具に対してスライド自在となっていて軒樋の位置調整ができる調整式のものとがある。調整式の軒樋吊具で、取付具と吊具本体を接合する従来の構造が、特開２０００−０８０７７１号公報や特開平１１−２４１４６９号公報に開示されている。図５（ａ）は、特開２０００−０８０７７１号公報に示されている吊具本体の側面図で、図５（ｂ）は、同じ物の平面図であり、図６は、同じ物で軒樋５を係止した状態の側面図である。この吊具本体１１の水平部１４には長孔１６が設けられていて、これにボルト４１を挿通し、ナット３３を取り付けることで、吊具本体１１を取付具２１の保持部２４に螺着する。一方、図６に示すように取付具２１の固定部２２を鼻板６にビス等で固定して、軒樋５を弾性変形させて吊具本体１１に係止させる。この状態で、軒樋５を係止した吊具本体１１を平行移動することにより、軒樋５の位置を調整する。この後に、ナット３３を締め付けて、軒樋５を固定する。さらに、調整式の軒樋吊具の他の構造として、ボルト・ナットと併せてバネを用いるものが特開平９−１７０３１６号公報に開示されている。
【０００３】
【特許文献１】
特開２０００−０８０７７１号公報（第４−７頁、図４）
【０００４】
【特許文献２】
特開平１１−２４１４６９号公報（第３−７頁、図１）
【０００５】
【特許文献３】
特開平９−１７０３１６号公報（第３−５頁、図１）
【０００６】
【発明が解決しようとする課題】
従来の構造では、ボルトとナットの締め付けが十分でない場合には、軒樋吊具を用いて軒樋を取り付ける工事をした後に、吊具本体が取付具に対して移動することがあった。この場合には、軒樋の位置が変化してしまい、軒樋に歪が発生するおそれがあった。
【０００７】
本発明は、かかる事由に鑑みてなしたもので、その目的とするところは、取付け工事後に軒樋の位置が容易に変化しにくい軒樋吊具を提供することにある。
【０００８】
【課題を解決するための手段】
請求項１に係る発明の軒樋吊具は、軒樋の両側を係止する一対の係止部とこれらを連結する水平部とを備える吊具本体と、軒先の鼻板の屋外側に取り付けられる固定部と前記水平部にスライド自在に接合する保持部とを備える取付具とを有し、前記水平部に長孔を設け、前記保持部と前記長孔とを螺着する軒樋吊具において、前記保持部の先端に突起体を設け、前記突起体が対向する前記水平部の接合面に複数の凸部又は凹部を設け、前記突起体と凸部又は凹部とが係合することにより、前記吊具本体が前記取付具に対して固定されてなることを特徴としている。
【０００９】
請求項２に係る発明の軒樋吊具は、請求項１の構成において、前記接合面と対向する前記保持部の対向面が前記接合面の凸部又は凹部の頭部先端と接触するものであることを特徴としている。
【００１０】
請求項３に係る発明の軒樋吊具は、請求項１又は請求項２の構成において、前記突起体及び前記接合面の凸部又は凹部の断面形状が略三角形であることを特徴としている。
【００１１】
請求項４に係る発明の軒樋吊具は、請求項１乃至請求項３の構成において、前記接合面の凸部又は凹部が等間隔で配設されていることを特徴としている。
【００１２】
請求項５に係る発明の軒樋吊具は、請求項４の構成において、前記接合面の凸部又は凹部が目盛状に設けられていることを特徴としている。
【００１３】
請求項６に係る発明の軒樋吊具は、請求項４又は請求項５の構成において、前記接合面の凸部又は凹部の少なくとも一部は、前記接合面の側面に到達してなることを特徴としている。
【００１４】
請求項７に係る発明の軒樋吊具は、請求項１乃至請求項６の構成において、前記吊具本体が樹脂製であることを特徴としている。
【００１５】
【発明の実施の形態】
本発明の実施の形態に係る軒樋吊具の構造を、図１〜４に基づいて説明する。図１は、本実施の形態の軒樋吊具の吊具本体を示す図であり、（ａ）は平面図で、（ｂ）は側面図である。図２は、本実施の形態の軒樋吊具を示す斜視図で、図３は、同じ物の接合部分の断面の拡大図で、図４は、同じ物で軒樋を係止した断面図である。
【００１６】
１は、軒樋吊具であり、吊具本体１１と取付具２１からなっている。吊具本体１１は、ポリカーボネート樹脂、プロピレン樹脂、ポリフェニレンサルファイド樹脂、ＡＥＳ樹脂等の樹脂材料を金型成形したものである。このものは、軒樋５の前耳部５１を係止する前側係止部１２、軒樋１の後耳部５２を係止する後側係止部１３、両者を連結する水平部１４とからなっている。水平部１４の長さ方向の中心線上には、ボルト４１を挿通するためのトラック形状の長孔１６が設けられている。また、水平部１４の取付具側の表面である接合面１５には、断面が略三角形の接合面凸部１７が２ｍｍ間隔で複数個設けられている。さらに、この接合面凸部１７は、５本ごとに接合面の幅方向に対しての長さが、長いもの１７ａになっている。すなわち、この接合面凸部１７は１０ｍｍ間隔で、長さが長いもの１７ａになっている。このことにより、平面視で、この接合面凸部１７、１７ａは目盛状になっている。また、接合面凸部１７ａのみが、接合面１５の両側の側面にまで到達していて、側面視で目立つようになっている。
【００１７】
また、取付具２１は、鉄板又はステンレス板等の金属板を曲げ加工したものである。ここで、この金属板の表面には、メッキや樹脂コーティングといった防錆処理がなされている。取付具２１は、鼻板６に取り付けられる固定部２２と、略水平に突設されたアーム部２３と、先端の保持部２４とからなっている。固定部２２は、鼻板６に取り付けられ物であり、ビス孔３５が設けられている。保持部２４には、ボルト４１を締め付けるナット３３及びナット支持体３４が取り付けられている。また、保持部２４の先端で水平部１４の接合面１５と対向する部位には、金属板を曲げ加工することにより突起体３１が形成されて、保持部２４で接合面１５と対向する対向面３２は、接合面凸部１７の頭部先端と接触する構造になっている。
【００１８】
本実施の形態では、軒樋本体１１の水平部１４の長孔１６にボルト４１を下方から挿通して、ナット３３で締め付けることにより、保持部１５と水平部１４とを接合する。このときは、このナット３３は、やや緩めに締め付けておく。しかし、突起体３１が、接合面凸部１７と係合していて、対向面３２が接合面凸部１７の頭部先端と接触しているので、容易には吊具本体１１は取付具２１に対して移動するおそれがない。この状態で、取付具２１をビス４２で軒下の鼻板６に取り付けて、軒樋吊具１を固定する。このようにして、複数の軒樋吊具１を、鼻板６に固定していく。この後に、図４に示すように、軒樋の前耳部５１を前側係止部１２に係止させるとともに、軒樋５の後耳部５２を後側係止部１３に係止させることで、軒樋５を軒樋吊具１に係止させる。ここで、軒樋５の通常の長さ３は２〜３ｍである。一方、通常鼻板６には、数ｍｍ程度の凹凸があることがあり、この場合は、取り付けられた軒樋５に歪みを生じることがある。また、数本の軒樋５を連結して、一本の軒樋とする場合には、これらの連結部分でずれを生じることがある。これらを是正するために、水平部１４を平行移動することで、軒樋５の位置を調整する。このときには、必要に応じて、ナット３３は緩めておく。こうすることで、軒樋５の歪がなくなり、軒樋５の連結部分が一致するように位置調整をする。この後に、ナット３３を締め付けて水平部１４を固定する。
【００１９】
本実施の形態の軒樋吊具では、ナット３３は締め方が緩いままであっても、突起体３１が接合面凸部１７と係合するとともに、対向面３２は、接合面凸部１７の頭部先端と接触している。このため、これらが滑り止めの機能を果たして、吊具本体１１は保持部２４に対して移動することはなく、施工後に軒樋５の位置が変化することがない。特に、軒樋５に雨水や雪が溜まって、吊具本体１１に荷重がかかった状態でも、軒樋５が位置ずれしにくいので、この効果は、軒樋吊具には有用である。また、接合面凸部１７ａは、１０ｍｍごとに長さが長くなっていて、さらに、接合面１５の側面視で目立つ構造となっているので、吊具本体１１の保持部２４に対する大まかな位置は、これによって確認することができ、位置調整が容易となる。また、２ｍｍ間隔で設けられている接合面凸部１７によって、さらに正確に位置調整をすることができる。特に、軒樋５の位置調整の作業は、高所で施行されるので、本実施の形態のように、容易に位置調整ができる効果は大きくなっている。さらに、吊具本体１１が樹脂製であるので、プレス成形や射出成形等によって容易に大量生産ができる。また、樹脂の接合面は、通常では滑り易いが、本実施の形態のように、突起体３１と接合面凸部１７とが係合するとともに、対向面３２は、接合面凸部１７の頭部先端と接触しているので、位置ずれを起こしにくくなる。
【００２０】
なお、突起体２１は、１つである必要はなく、複数個設けられていてもよい。この場合は、さらに、吊具本体１１の位置ずれが起こりにくくなる。また、接合面凸部１７の間隔（長さの短いものと長さの長いものと両方を含む）は、当然のことながら、本実施の形態に限られるものではなく、一定でなくてもよい。さらに、接合面１５に設けるものは、凸部でなくても凹部であってもよい。
【００２１】
【発明の効果】
請求項１に係る発明の軒樋吊具は、軒樋の両側を係止する一対の係止部とこれらを連結する水平部とを備える吊具本体と、軒先の鼻板の屋外側に取り付けられる固定部と前記水平部にスライド自在に接合する保持部とを備える取付具とを有し、前記水平部に長孔を設け、前記保持部と前記長孔とを螺着する軒樋吊具において、前記保持部の先端に突起体を設け、前記突起体が対向する前記水平部の接合面に複数の凸部又は凹部を設け、前記突起体と凸部又は凹部とが係合することにより、前記吊具本体が前記取付具に対して固定されてなることを特徴としているので、ナット等の締め付けが不十分であっても、軒樋が位置ずれをおこしにくくなり、高所での作業が容易となる。
【００２２】
請求項２に係る発明の軒樋吊具は、請求項１の構成において、前記接合面と対向する前記保持部の対向面が前記接合面の凸部又は凹部の頭部先端と接触するものであることを特徴としているので、請求項１記載の効果に加えて、接触抵抗が大きくなり、さらに軒樋が位置ずれをおこしにくくなる。
【００２３】
請求項３に係る発明の軒樋吊具は、請求項１又は請求項２の構成において、前記突起体及び前記接合面の凸部又は凹部の断面形状が略三角形であることを特徴としているので、請求項１又は請求項２記載の効果に加えて、前記軒樋本体が前記取付具に対して、さらに確実に固定される。
【００２４】
請求項４に係る発明の軒樋吊具は、請求項１乃至請求項３の構成において、前記接合面の凸部又は凹部が等間隔で配設されていることを特徴としているので、請求項１乃至請求項３の効果に加えて、吊具本体や軒樋の保持部に対する位置合わせが容易となる。
【００２５】
請求項５に係る発明の軒樋吊具は、請求項４の構成において、前記接合面の凸部又は凹部が目盛状に設けられていることを特徴としているので、請求項４記載の効果に加えて、吊具本体や軒樋の保持部に対する位置合わせがさらに容易となる。
【００２６】
請求項６に係る発明の軒樋吊具は、請求項４又は請求項５の構成において、前記接合面の凸部又は凹部の少なくとも一部は、前記接合面の側面に到達してなることを特徴としているので、側面視においても、吊具本体や軒樋の保持部に対する位置合わせがさらに容易となる。
【００２７】
請求項７に係る発明の軒樋吊具は、請求項１乃至請求項６の構成において、前記吊具本体が樹脂製であることを特徴としているので、請求項１乃至請求項６記載の効果に加えて、接合面が滑り易い材料であっても、位置ずれがなくなり、前記吊具本体を大量生産できるようになる。
【図面の簡単な説明】
【図１】実施形態の吊具本体を示す図であり、（ａ）は上面図で、（ｂ）は断面図である。
【図２】実施形態の軒樋吊具を示す斜視図である。
【図３】実施形態の保持部と接合面との接合部分を拡大した部分を示す断面図である。
【図４】実施形態の軒樋吊具で軒樋を係止した断面図である。
【図５】従来の吊具本体を示す図であり、（ａ）は上面図で、（ｂ）は断面図である。
【図６】従来の軒樋吊具で軒樋を係止した断面図である。
【符号の説明】
１          軒特吊具
１１        吊具本体
１２        前側係止部
１３        後側係止部
１４        水平部
１５        接合面
１６        長孔
１７        接合面凸部
２１        取付具
２２        固定部
２３        アーム部
２４        保持部
３１        突起体
３２        対向面
３３        ナット
４１        ボルト
４２        ビス
５          軒樋
６          鼻板
【図１】
2004250895.tif 000003
【図２】
2004250895.tif 000004
【図３】
2004250895.tif 000005
【図４】
2004250895.tif 000006
【図５】
2004250895.tif 000007
【図６】
2004250895.tif 000008